(57)【要約】【課題】マニュアルを閲覧する際の操作性が向上し、閲覧し易い形状で、設定順序を確認することができ、部品の選択ミスを発見することができ、設定が完了したものとマニュアルとを対応付けることができるブック型立体マニュアル装置を提供することを目的とする。【解決手段】マニュアルがブック型の形状を具備し、部品の設定手順が記載されているマニュアルを有し、また、上記マニュアルのページの所定の部位であって、上記設定手順が記載されている位置の近傍に、直接的または間接的に部品が貼り付けられているブック型立体マニュアル装置である。【選択図】図２
2010269511.tif 000002
【特許請求の範囲】
【請求項１】
ブック型の形状を具備するブック型立体マニュアル装置において、
表紙と；
上記表紙に接続されている背表紙と；
上記背表紙に接続されている裏表紙と；
上記背表紙に一端が固定され、部品の設定手順が記載されている紙葉と；
上記紙葉において上記設定手順が記載されている位置またはその位置の近傍に、直接的または間接的に貼り付けられている部品と；
を有し、上記部品を取り外した状態または上記部品を貼り付けた状態で、上記部品に対応する設定手順を閲覧可能であることを特徴とするブック型立体マニュアル装置。
【請求項２】
請求項１であって、
上記部品を収納する箱であって、上記紙葉に貼り付けられている箱と；
上記箱が上記紙葉から離れないように、上記箱を包む帯体と；
上記帯体を上記表紙または裏表紙に係止する係止手段と；
を有し、上記紙葉から上記部品を取り外した後に、上記裏表紙を畳み、ブック型の形状を維持するために、上記ブック型立体マニュアル装置を閉じることを特徴とするブック型立体マニュアル装置。
【請求項３】
請求項１において、
上記紙葉に上記箱を貼り付けた状態で上記帯体を上記表紙または上記裏表紙に係止する位置と、上記紙葉から上記箱を取り外し、上記背表紙を畳んだ状態で上記帯体を上記表紙または上記裏表紙に係止する位置とが一致するように、上記係止手段の位置が設定されていることを特徴とするブック型立体マニュアル装置。
【請求項４】
請求項２において、
上記係止手段は、上記帯体の端部に設けられている第１の係止手段と、上記表紙に設けられている第２の係止手段とによって構成され、上記第１の係止手段と上記第２の係止手段とが互いに係止し、
上記第１の係止手段の位置ｙを、ｙ＝Ｗ（ｍ＋１）＋（Ｈ４−Ｈ５）／２の式によって求める（上記Ｗは、上記ブック型立体マニュアル装置の１ページの幅であり、上記ｍは、上記帯体の折り返し回数ｍであり、上記Ｈ４は、上記箱を取り外した場合における上記ブック型立体マニュアル装置の厚みであり、上記Ｈ５は、上記ブック型立体マニュアル装置に上記箱を収納した場合における上記ブック型立体マニュアル装置全体の厚さである）ことを特徴とするブック型立体マニュアル装置。
【請求項５】
請求項４において、
上記帯体の長さＬを、Ｌ＝Ｈ４＋Ｗ＋２ｍＷ＋（Ｗ−ｙ）の式によって求めることを特徴とするブック型立体マニュアル装置。
【発明の詳細な説明】
【技術分野】
【０００１】
本発明は、ブック型立体マニュアル装置に関する。
【背景技術】
【０００２】
従来、電子マニュアルを容易に認識できるようにし、全体を俯瞰し易くするために、ブック型のマニュアルを疑似した表示方式によって、表示装置に出力する発明が知られている（たとえば、特許文献１参照）。
【先行技術文献】
【特許文献】
【０００３】
【特許文献１】特開平０５−２５７９９１号公報
【発明の概要】
【発明が解決しようとする課題】
【０００４】
上記従来例では、部品の設定マニュアルにおいて、各設定手順で必要な部品は、文字または図によって間接的に示されるのみであり、マニュアルで説明している部品と、現実の部品との直接的な対応付けがないので、部品の選択ミスが生じるという問題がある。
【０００５】
また、上記従来例では、ブック型のマニュアルは閲覧するときに情報が整理され、また持ち運びが容易であるという利点があるが、ブック型で閲覧できるのは、設定手順のみであり、部品を含む全ての情報をブック型で閲覧することができないという問題がある。
【０００６】
本発明は、マニュアルを閲覧する際の操作性が向上し、閲覧し易い形状で、設定順序を確認することができ、部品の選択ミスを発見することができ、設定が完了したものとマニュアルとを対応付けることができるブック型立体マニュアル装置を提供することを目的とする。
【課題を解決するための手段】
【０００７】
本発明は、マニュアルがブック型の形状を具備し、部品の設定手順が記載されているマニュアルを有し、また、上記マニュアルのページの所定の部位であって、上記設定手順が記載されている位置の近傍に、直接的または間接的に部品が貼り付けられているブック型立体マニュアル装置である。
【発明の効果】
【０００８】
本発明によれば、マニュアルで説明している部品と、現実の部品との直接的な対応付けがあるので、部品選択の誤りが少なく、マニュアルを閲覧する際の操作性が向上し、また、マニュアル装置の形状が閲覧し易い形状であるので、設定順序を確認することができ、設定が完了したものとマニュアルとを対応付けることができるという効果を奏する。
【図面の簡単な説明】
【０００９】
【図１】本発明の実施例１であるブック型立体マニュアル装置１０１のうちで、部品を収納している箱４１、４２、４３を除去した場合を示す斜視図である。
【図２】箱４１、４２、４３が貼り付けられているブック型立体マニュアル装置１０１を示す斜視図である。
【図３】ブック型立体マニュアル装置１０１内に、箱４１、４２、４３を貼り付けたまま、ブック型立体マニュアル装置１０１を閉じた状態（ページを閉じた状態）を示す斜視図である。
【図４】ブック型立体マニュアル装置１０１から、箱４１、４２、４３を取り外した後に、背表紙１２、１３、１４を折り畳んだ状態を示す斜視図、断面図である。
【図５】ブック型立体マニュアル装置１０１において、箱４１、４２、４３をブック型立体マニュアル装置１０１に格納した状態で、帯体ＢＴ１が、ブック型立体マニュアル装置１０１を包んでいる状態を示す図である。
【図６】本発明の実施例２であるブック型立体マニュアル装置１０２を示す図である。
【図７】本発明の実施例３であるブック型立体マニュアル装置１０３を示す図である。
【図８】ブック型立体マニュアル装置１００において、帯体ＢＴ０の長さＬを決定する動作を示すフローチャートである。
【発明を実施するための形態】
【００１０】
発明を実施するための形態は、以下の実施例である。
【実施例１】
【００１１】
図１は、本発明の実施例１であるブック型立体マニュアル装置１０１のうちで、部品を収納している箱４１、４２、４３を除去した場合を示す斜視図である。
【００１２】
図２は、箱４１、４２、４３が貼り付けられているブック型立体マニュアル装置１０１を示す斜視図である。
【００１３】
ブック型立体マニュアル装置１０１は、ブック型の形状を具備し、表紙１１と、背表紙１２、１３、１４と、裏表紙１５と、紙葉１６、１７と、箱４１、４２、４３と、帯体ＢＴ１とを有し、上記部品を取り外した状態または上記部品を貼り付けた状態で、上記部品に対応する設定手順を閲覧可能である。
【００１４】
背表紙１２、１３、１４は、表紙１１に接続されている。裏表紙１５は、背表紙１２、１３、１４に接続されている。紙葉１６、１７は、背表紙１２、１３、１４に一端が固定され、部品の設定手順３２、３３が記載されている。
【００１５】
箱４１、４２、４３は、それぞれ、部品５１、５２、５３を収納する箱である。部品５１、５２、５３は、紙葉１６、１７において上記設定手順が記載されている位置またはその位置の近傍に、直接的または間接的に貼り付けられている。
【００１６】
表紙１１、背表紙１２、１３、１４、裏表紙１５、紙葉１６、１７は、紙で構成されているが、紙の代わりに、合成樹脂等、紙以外の剛性のシートであってもよい。
【００１７】
帯体ＢＴ１は、箱４１、４２、４３が紙葉１６、１７から離れないように、箱４１、４２、４３を包む。
【００１８】
表紙１１と、背表紙１２、１３、１４と、裏表紙１５と、帯体ＢＴ１とによって、断面ロ字状の空間であって、箱４１、４２、４３を収納する箱収納空間を作る。
【００１９】
紙葉１６、１７は、箱収納空間を３つに分ける仕切りであり、また、一端が、背表紙１２、１３、１４に固着されている。表紙１１の箱収納空間側の面に、部品５１を使った設定手順３１が記載されている。
【００２０】
紙葉１６に、箱４１を貼り付ける貼付面２１が設けられ、紙葉１７に、箱４２を貼り付ける貼付面２２が設けられ、貼付面２２に、部品５２の名称、部品５２の概念図が記載されている。裏表紙１５に、箱４３を貼り付ける貼付面２３が設けられ、貼付面２３（裏表紙１５の上記箱収納空間側の面）に、部品５３の名称、部品５３の概念図が記載されている。
【００２１】
また、紙葉１６の貼付面２１とは逆の面に、部品５２を使った設定手順３２が記載され、紙葉１７の貼付面２２とは逆の面に、部品５３を使った設定手順３３が記載されている。
【００２２】
つまり、図２に示すように、ブック型立体マニュアル装置１０１を開いた状態で、図２中、右側のページに、部品５２用の箱４２が載置され、左側のページに、部品５２を使った設定手順３２が露出されている。すなわち、部品を貼り付けた状態でも、上記部品に対応する設定手順を閲覧可能である。なお、部品５２を収納している箱４２から取り出すと、その箱４２の貼付面２２に、上記部品５２に対応する設定手順３２が記載され、その設定手順３２を閲覧可能であるようにしてもよい。
【００２３】
また、図２において、ブック型立体マニュアル装置１０１を１頁分めくると、図２中、右側のページに、部品５３用の箱４３が載置され、左側のページに、部品５３を使った設定手順３３が露出される。すなわち、部品を貼り付けた状態でも、上記部品に対応する設定手順を閲覧可能である。なお、部品５３を収納する箱４３から取り出すと、箱４３の貼付面２３に、上記部品５３に対応する設定手順３３が記載され、その設定手順３３を閲覧可能であるようにしてもよい。
【００２４】
さらに、上記実施例では、貼付面に箱を貼り付ける（貼付面に部品を間接的に貼り付ける）が、貼付面に部品を直接貼り付けるようにしてもよい。
【００２５】
なお、図１、図２には、部品を収納する箱が３つのみ記載されているが、ブック型立体マニュアル装置１０１に、４つ以上の箱を設けるようにしてもよい。
【００２６】
図３は、ブック型立体マニュアル装置１０１内に、箱４１、４２、４３を貼り付けたまま、ブック型立体マニュアル装置１０１を閉じた状態（ページを閉じた状態）を示す斜視図である。
【００２７】
ブック型立体マニュアル装置１０１の閉じ方がよく分かるように、図３では、隣り合う箱４１、４２、４３同士の間隔を少し広げて記載してある。他の紙葉１６、１７（ページ）の箱との間に、箱と箱とを挟むようにして設定手順３１、３２、３３が記載されている。箱４３の高さは、ｈ３であり、その幅は、ｗ３であり、奥行は、Ｄ３である。また、表紙１１には、板状またはリング状の突片Ｔ１が設けられ、帯体ＢＴ１には、突片Ｔ１を挿通可能な切り込みＫ１が設けられ、切り込みＫ１に突片Ｔ１を差し込む（または挿通する）ことによって、表紙１１と帯体ＢＴ１とが互いに固定される。
【００２８】
切り込みＫ１、突片Ｔ１の代わりに、帯体ＢＴ１を表紙１１または裏表紙１５に係止する紐、フック、マジックテープ（登録商標）等、他の係止手段を使用するようにしてもよい。
【００２９】
また、図３中、ブック型立体マニュアル装置１０１の高さは、Ｈ５であり、高さＨ５は、箱４１、４２、４３のそれぞれの高さｈ１、ｈ２、ｈ３の合計と、表紙１１、裏表紙１５、紙葉１６、１７の各厚さａの合計｛ａ×（枚数）｝とを加算した値である。つまり、Ｈ５は、ブック型立体マニュアル装置に箱を収納した場合におけるブック型立体マニュアル装置全体の厚さである。
【００３０】
図４は、ブック型立体マニュアル装置１０１から、箱４１、４２、４３を取り外した後に、背表紙１２、１３、１４を折り畳んだ状態を示す斜視図、断面図である。
【００３１】
図４（１）は、ブック型立体マニュアル装置１０１から、箱４１、４２、４３を取り外した後に、背表紙１２、１３、１４を折り畳み、ブック型立体マニュアル装置１０１を構成する裏表紙１５、紙葉１６、１７を、帯体ＢＴ１で包む。帯体ＢＴ１の先端部に切り込みＫ１が設けられ、表紙１１に突片Ｔ１が設けられ、突片Ｔ１を切り込みＫ１に差し込むことによって、帯体ＢＴ１を留める。
【００３２】
つまり、帯体ＢＴ１の先端に設けられている切り込みＫ１に、表紙１に設けられている突片Ｔ１が係合し、帯体ＢＴ１が、ブック型立体マニュアル装置１０１を包む。
【００３３】
背表紙１２、１３、１４について、図４（２）、図４（３）に示すように、蛇腹状に、山折り、谷折りを交互に実行して折り畳み、ブック型立体マニュアル装置１０１の内側へ畳み込む。つまり、紙葉１６、１７から上記部品を取り外した後に、背表紙１２、１３、１４を畳み、ブック型の形状を維持するために、ブック型立体マニュアル装置１０１を閉じる。
【００３４】
図４（１）、図４（２）に示すように、ブック型立体マニュアル装置１０１から箱４１、４２、４３を取り去り、背表紙１２、１３、１４を蛇腹形状にして厚さを圧縮した場合、表紙１１、紙葉１６、１７、裏表紙１５をめくることができ、つまりページをめくることができ、各ページに記載されている設定手順３１、３２、３３を読むことができる。
【００３５】
図５は、ブック型立体マニュアル装置１０１において、箱４１、４２、４３をブック型立体マニュアル装置１０１に格納した状態で、帯体ＢＴ１が、ブック型立体マニュアル装置１０１を包んでいる状態を示す図である。
【００３６】
つまり、ブック型立体マニュアル装置１０１において、背表示１２、１３、１４と反対側部分を、帯体ＢＴ１が包んでいる。
【実施例２】
【００３７】
図６は、本発明の実施例２であるブック型立体マニュアル装置１０２を示す図である。
【００３８】
ブック型立体マニュアル装置１０２は、基本的には、ブック型立体マニュアル装置１０１と同じであり、帯体ＢＴ１の代わりに、帯体ＢＴ２が設けられている点が異なる。
【００３９】
実施例２では、箱を貼り付けた場合の厚みＨ５が、箱を取り外した場合の厚みＨ４と比較して非常に長いので、帯体ＢＴ２に余りが生じ、このために、図６（１）に示すように、ブック型立体マニュアル装置１０２の底面で帯体ＢＴ２を折り返している。
【００４０】
ブック型立体マニュアル装置１０２は、箱４１〜４３を取り除いた後に、背表紙１２、１３、１４を畳んだときに、帯体ＢＴ２を裏表紙１５から表紙１１まで包んでも、帯体ＢＴ２が余っている場合、帯体ＢＴ２を、裏表紙１５の近傍で折り畳む実施例である。
【実施例３】
【００４１】
図７は、本発明の実施例３であるブック型立体マニュアル装置１０３を示す図である。
【００４２】
ブック型立体マニュアル装置１０３は、帯体ＢＴ３を、ブック型立体マニュアル装置１０３の天面で折り返す実施例である。
【００４３】
図６に示すブック型立体マニュアル装置１０２では、帯体ＢＴ２を、底面で折り返しているが、ブック型立体マニュアル装置１０３では、図７に示すように、天面で帯体ＢＴ３を折り返す。
【００４４】
次に、ブック型立体マニュアル装置１０１、１０２、１０３において、それぞれ帯体ＢＴ１、ＢＴ２、ＢＴ３の長さＬを決定する方法と、帯体ＢＴ１、ＢＴ２、ＢＴ３の折り畳み方とについて説明する。
【００４５】
なお、以下では、ブック型立体マニュアル装置１０１、１０２、１０３の総称として、便宜上、ブック型立体マニュアル装置１００を記載し、帯体ＢＴ１、ＢＴ２、ＢＴ３の総称として、便宜上、帯体ＢＴ０を記載する。
【００４６】
図８は、ブック型立体マニュアル装置１００において、帯体ＢＴ０の長さＬを決定する動作を示すフローチャートである。
【００４７】
Ｓ１で、ブック型立体マニュアル装置１００の１ページの幅Ｗ、奥行きＤ、厚さＨ５を決定する。幅Ｗのうちで、幅が最大である箱Ｂｎの幅ｗｎを用い、Ｗ＝ｗｎとする。奥行きＤのうちで、奥行きが最大である箱Ｂｎの奥行きＤｎを用い、Ｄ＝Ｄｎとする。
【００４８】
厚さＨ５（全ての箱の厚さ∫（ｈｋ）、（ｋ＝１〜ｎ））と、紙葉１６、１７等のそれぞれの厚さａのｎ枚分とを合計する。つまり、Ｈ５＝∫（ｈｍ＋ａｍ）を演算する（ｍ＝１〜ｎ）。
【００４９】
Ｓ２で、次の式によって、折り返し回数ｍを決定する。
【００５０】
（Ｈ５−Ｈ４）／２Ｗ−１≦ｍ≦（Ｈ５−Ｈ４）／２Ｗ
を満たす整数ｍを、折り返し回数ｍとする。なお、Ｈ４は、箱を取り外した場合におけるブック型立体マニュアル装置の厚みである。
【００５１】
ただし、Ｈ５＞Ｈ４である。つまり、箱を取り付けた際の厚みＨ５は、箱を取り外した際の厚みよりも、必ず大きい。
【００５２】
折り返し回数ｍは、図６に示すように、ブック型立体マニュアル装置の底面において、背表紙部分側で折り返した回数である。
【００５３】
Ｓ３で、次の式によって、切り込みの位置ｙを決定する。
【００５４】
ｙ＝Ｗ（ｍ＋１）＋（Ｈ４−Ｈ５）／２
【００５５】
また、以下の式によって、帯体の長さＬを決定する。
【００５６】
Ｌ＝Ｗ（ｍ＋１）＋（Ｈ５＋Ｈ４）／２
【００５７】
上式のようにして、切り込みの位置ｙ、帯体の長さＬを決定すれば、部品を貼り付けたまま包み込むように閉じるためのブック型立体マニュアル装置１００を留める位置と、箱を取り外してブック型に畳むときにブック型立体マニュアル装置１００を留める位置とを一致させて畳むことができる。よって、ブック型立体マニュアル装置１００に付ける留め口を、１箇所に抑えるので、見栄えが良い。
【００５８】
これは、以下の理由による。まず、帯体ＢＴ０の長さＬを決定する。まず、箱４１〜４３等を取り外した場合における帯体の長さＬは、帯体ＢＴ０の折り畳み回数がｍ回である場合、次式で表現される。
【００５９】
Ｌ＝Ｈ４＋Ｗ＋２ｍＷ＋（Ｗ−ｙ）
【００６０】
一方、箱を全て取り付けた場合、帯体ＢＴ０の長さＬは、次式で表現される。
【００６１】
Ｌ＝Ｈ５＋ｙ
【００６２】
これら二式を連立させて解くことによって、
Ｈ５＋ｙ＝Ｈ４＋Ｗ＋２ｍＷ＋（Ｗ−ｙ）
であり、したがって、切り込みの位置ｙは、
ｙ＝Ｗ（ｍ＋１）＋（Ｈ４−Ｈ５）／２となる。
【００６３】
なお、折り畳み回数ｍ＝０のときに、すなわち底面における折り返し回数ｍが０回である場合、実施例１に示す折り畳み方になり、
ｙ＝Ｗ＋（Ｈ４−Ｈ５）／２
Ｌ＝Ｗ＋（Ｈ５＋Ｈ４）／２
となる。
【００６４】
＜箱を取り外した場合＞
帯体ＢＴ０を、ブック型立体マニュアル装置１００の表紙１１または裏表紙１５で折り返さずに、表紙１１で留める。
【００６５】
＜箱をすべて取り付けた場合＞
図３に示すように、表紙１１に設けられている突片Ｔ１を切り込みＫ１に挿入し、ページ側からブック型立体マニュアル装置１００の幅Ｗの位置で、折り返し、終了する。
【００６６】
また、折り返し回数ｍ≠０であれば、箱を取り外したときに、帯体ＢＴ０は、（２×ｍ＋１）×Ｗの長さ分を、ブック型立体マニュアル装置１００の裏表紙１５で、幅Ｗの長さに、それぞれ折り返す。残りを、背表紙１２、１３、１４から表紙１１への折り返し、Ｗ−ｙの長さ分を引き出して留める。ブック型立体マニュアル装置１００の表紙１１に、帯体ＢＴ０を留める場合、折り返しｙの長さは、表紙１１からはみ出している帯体ＢＴ０の長さである。また、箱を取り外したときと、箱を貼り付けたときとの両方で、帯体ＢＴ０を留める位置は、表紙１１と同じであり、終了する。
【００６７】
上記実施例によれば、部品を貼り付けたまま包み込むように閉じるためのブック型立体マニュアル装置１００を留める位置と、箱を取り外してブック型に畳むときのブック型立体マニュアル装置１００を留める位置とを一致させて畳むことができ、ブック型立体マニュアル装置１００に付ける留め口を１箇所に抑えるので、ブック型立体マニュアル装置１００の見栄えが良い。
【００６８】
上記実施例によれば、ブック型立体マニュアル装置１００を閲覧する際の操作性が向上し、ブック型立体マニュアル装置１００から、部品を収納している箱を取り外した状態で、ブック型立体マニュアル装置１００の厚みを薄く抑えることができ、閲覧し易い形状で、設定順序を確認することができ、部品の選択ミスを発見することができ、設定が完了したものとブック型立体マニュアル装置１００とを対応付けることができる。
【００６９】
また、上記実施例によれば、設定手順が説明されているブック型立体マニュアル装置１００と、設定する部品とを、ブック型に閉じることができ、部品を取り外したときに、ブック型立体マニュアル装置１００の厚みだけを変えてブック型の形状を保つことができる。
【００７０】
上記実施例は、ブック型の形状を具備するブック型立体マニュアル装置の例であり、背表紙１２、１３、１４は、表紙に接続されている背表紙の例であり、裏表紙１５は、背表紙に接続されている裏表紙の例である。紙葉１６、１７は、上記背表紙に一端が固定され、部品の設定手順が記載されている紙葉の例である。
【００７１】
部品５１、５２、５３は、上記紙葉において上記設定手順が記載されている位置またはその位置の近傍に、直接的または間接的に貼り付けられている部品の例である。なお、部品が間接的に貼り付けられているとは、部品を収納する箱等を紙葉１６、１７に貼り付けることである。
【００７２】
また、上記実施例は、部品を取り外した状態または上記部品を貼り付けた状態で、上記部品に対応する設定手順を閲覧可能である。
【００７３】
帯体ＢＴ１〜ＢＴ３は、上記箱が上記紙葉から離れないように、上記箱を包む帯体の例である。突片Ｔ１、切り込みＫ１は、上記帯体を上記表紙または裏表紙に係止する係止手段の例であり、突片Ｔ１、切り込みＫ１の代わりに、紐等を使用するようにしてもよい。
【００７４】
さらに、上記紙葉１６、１７から上記部品を取り外した後に、上記裏表紙１５を畳み、ブック型の形状を維持するために、上記ブック型立体マニュアル装置を閉じる。
【００７５】
しかも、上記実施例では、紙葉１６、１７に箱を貼り付けた状態で帯体を上記表紙または裏表紙に係止する位置と、上記紙葉１６、１７から上記箱を取り外し、上記背表紙１２、１３、１４を畳んだ状態で上記帯体を上記表紙１１または裏表紙１５に係止する位置とが一致するように、上記係止手段の位置が設定されている。
【００７６】
なお、上記説明において、ｍ＝０の場合が、図１〜図５に示すブック型立体マニュアル装置１０１（請求項１に記載されている内容）の場合である。上記説明において、ｍが１以上の整数である場合が、図６に示すブック型立体マニュアル装置１０２、図７に示すブック型立体マニュアル装置１０３の場合である。
【００７７】
さらに、上記部品を収納する箱であって、上記紙葉に貼り付けられている箱が設けられ、上記箱が上記紙葉から離れないように、上記箱を包む帯体が設けられ、上記帯体を上記表紙または裏表紙に係止する係止手段が設けられている。
【００７８】
上記係止手段は、上記帯体の端部に設けられている第１の係止手段と、上記表紙に設けられている第２の係止手段とによって構成され、上記第１の係止手段と上記第２の係止手段とが互いに係止する。切り込みｋ１は、上記第１の係止手段の例であり、突片Ｔ１は、上記第２の係止手段の例である。
【００７９】
上記切り込み（上記第１の係止手段）の位置ｙを、ｙ＝Ｗ（ｍ＋１）＋（Ｈ４−Ｈ５）／２の式によって求める。なお、上記Ｗは、上記ブック型立体マニュアル装置の１ページの幅であり、上記ｍは、上記帯体の折り返し回数ｍであり、上記Ｈ４は、箱を取り外した場合におけるブック型立体マニュアル装置の厚みであり、上記Ｈ５は、上記ブック型立体マニュアル装置に上記箱を収納した場合における上記ブック型立体マニュアル装置全体の厚さである。
【００８０】
また、上記実施例において、上記帯体の長さＬは、Ｌ＝Ｈ４＋Ｗ＋２ｍＷ＋（Ｗ−ｙ）の式によって求める。
【符号の説明】
【００８１】
１０１〜１０３…ブック型立体マニュアル装置、
１１…表紙、
１２、１３、１４…背表紙、
１５…裏表紙、
１６、１７…紙葉、
ＢＴ１〜ＢＴ３…帯体、
ａ…紙の厚さ、
Ｋ１…切り込み、
Ｔ１…突片、
２１、２２、２３…箱の貼り付け面、
３１、３２、３３…設定手順、
４１、４２、４３…箱、
５１、５２、５３…部品。
【図１】
2010269511.tif 000003
【図２】
2010269511.tif 000004
【図３】
2010269511.tif 000005
【図４】
2010269511.tif 000006
【図５】
2010269511.tif 000007
【図６】
2010269511.tif 000008
【図７】
2010269511.tif 000009
【図８】
2010269511.tif 000010